(57)【要約】【課題】最適な表示設定情報に自動的に更新できる画像表示装置を提供すること。【解決手段】画像表示装置１は、入力画像情報に応じて光学像を形成する画像形成手段４４１と、画像形成手段４４１の駆動制御を行う制御手段５５，５６と、画像情報が入力する接続端子６１とを備える。制御手段５５は、接続機器１０から画像情報とともに出力され、該機器１０の表示属性を表す表示属性情報を取得する表示属性情報取得部５６３と、当該表示属性情報に基づいて、予め記憶された複数の画像形成手段４４１の表示設定情報を選択する表示設定情報選択部５６５と、当該表示設定情報を、書換可能なメモリ５２に書き込む表示設定情報書込部５６６と、当該表示設定情報を、接続機器１０に対して出力する表示設定情報出力部５６８とを備える。【選択図】  図３
2006119399.tif 000002
【特許請求の範囲】
【請求項１】
入力画像情報に応じて光学像を形成する画像形成手段と、この画像形成手段の駆動制御を行う制御手段と、異なる機器が接続可能とされ、接続された機器から出力される前記画像情報が入力する接続端子とを備えた画像表示装置であって、
前記制御手段は、
接続される機器から画像情報とともに出力され、該機器の表示属性を表す表示属性情報を取得する表示属性情報取得部と、
取得された表示属性情報に基づいて、予め記憶された複数の前記画像形成手段の表示設定情報を選択する表示設定情報選択部と、
選択された表示設定情報を、書換可能なメモリに書き込む表示設定情報書込部と、
書き込まれた表示設定情報を、接続される機器に対して出力する表示設定情報出力部とを備えることを特徴とする画像表示装置。
【請求項２】
請求項１に記載の画像表示装置において、
前記表示属性情報は、前記画像情報のフレーム間のブランク期間に含まれて出力され、
前記制御手段は、
前記画像情報の入力中、前記ブランク期間に含まれる表示属性情報を監視する表示属性情報監視部を備え、
前記表示属性情報監視部は、当該表示属性情報監視部で入力する表示属性情報に変化が生じたと判定すると、前記表示属性情報取得部、前記表示設定情報選択部、および、前記表示設定情報書込部を動作させる信号を出力することを特徴とする画像表示装置。
【請求項３】
請求項１または請求項２に記載の画像表示装置において、
前記接続端子には、前記機器との間に、前記画像情報が入力する画像情報入力ライン、前記機器に対して表示設定情報を出力する表示設定情報出力ライン、および、前記機器と当該画像表示装置との状態を通信しあう状態通信ラインが独立して設けられ、
前記制御手段は、前記表示設定情報書込部による表示設定情報の書込みが行われると、前記状態通信ラインを介して、前記機器に対して、前記表示設定情報の再読み出しを指示する信号を出力する再読出指示信号出力部を備えていることを特徴とする画像表示装置。
【発明の詳細な説明】
【技術分野】
【０００１】
本発明は、画像表示装置に関する。詳しくは、入力画像情報に応じて光学像を形成する画像形成手段と、この画像形成手段の駆動制御を行う制御手段と、異なる機器が接続可能とされ、接続された機器から出力される前記画像情報が入力する接続端子とを備えた画像表示装置に関する。
【背景技術】
【０００２】
従来、会議、学会、展示会等でのプレゼンテーション等にプロジェクタが用いられている。このようなプロジェクタは、光源と、この光源から射出された光束を画像情報に応じて変調して光学像を形成する光変調素子と、この光変調素子によって形成された光学像を拡大投射する投射レンズを備えて構成されている。そして、このようなプロジェクタは、一般的に、画像情報を出力する機器と接続され、当該機器から出力される画像情報に基づく画像を形成し、当該画像を拡大投射する。
【０００３】
ところで、近年のプロジェクタは、機種名およびメーカ名等の型式情報、および、形成する光学像の解像度、リフレッシュレート等の表示設定情報を含むパラメータとして、ＥＤＩＤ（Extended Display Identification Data）をメモリに保持している。このようなＥＤＩＤは、接続された機器によって読み込まれ、当該機器は、このＥＤＩＤに基づく最適な画像情報を生成して、プロジェクタに出力する。
しかしながら、本来、ＥＤＩＤは機器固有の値となっており、接続される機器に対して最適なＥＤＩＤは同一ではない。例えば、パーソナルコンピュータに接続される場合と、ＤＶＤ（Digital Versatile Disc）プレイヤに接続される場合とでは、要求される解像度、アスペクト比等が異なるため、これらの表示設定情報が含まれるＥＤＩＤも同一とはならない。このため、このようなプロジェクタには、汎用的なＥＤＩＤを保持させる必要があり、接続される機器によっては、当該プロジェクタの性能を活かすことができないという問題があった。
【０００４】
このような問題に対して、複数種類の映像信号用のＥＤＩＤから接続される機器に応じたＥＤＩＤを選択してＤＤＣ対応ＥＥＰＲＯＭ（Electrically Erasable Programmable Read-Only Memory）に記憶するプロジェクタが知られている（例えば、特許文献１参照）。この特許文献１に記載のプロジェクタには、使用者の操作によって、接続される機器の種別が入力され、当該プロジェクタは、機器に応じたＥＤＩＤをＥＥＰＲＯＭから選択して、ＤＤＣ（Display Data Channel）対応ＥＥＰＲＯＭのＥＤＩＤを更新する構成とされている。これにより、プロジェクタは、接続される機器に応じたＥＤＩＤに更新することができる。
【０００５】
【特許文献１】特開２００４−１０２０６７号公報
【発明の開示】
【発明が解決しようとする課題】
【０００６】
しかしながら、特許文献１に記載のプロジェクタでは、当該プロジェクタに接続される機器の種別を使用者が入力する必要があり、使用者にとって手間がかかるという問題がある。また、使用者が誤った種別を入力した場合に、既にプロジェクタのＤＤＣ対応ＥＥＰＲＯＭに記憶されていたＥＤＩＤが、当該種別に応じたＥＤＩＤに更新されてしまうため、接続される機器が要求する画像を形成することができないという問題がある。
【０００７】
本発明の目的は、最適な表示設定情報に自動的に更新できる画像表示装置を提供することである。
【課題を解決するための手段】
【０００８】
前記した目的を達するために、本発明の画像表示装置は、入力画像情報に応じて光学像を形成する画像形成手段と、この画像形成手段の駆動制御を行う制御手段と、異なる機器が接続可能とされ、接続された機器から出力される前記画像情報が入力する接続端子とを備えた画像表示装置であって、前記制御手段は、接続される機器から画像情報とともに出力され、該機器の表示属性を表す表示属性情報を取得する表示属性情報取得部と、取得された表示属性情報に基づいて、予め記憶された複数の前記画像形成手段の表示設定情報を選択する表示設定情報選択部と、選択された表示設定情報を、前記制御手段および前記接続端子間に介在する書換可能なメモリに書き込む表示設定情報書込部と、書き込まれた表示設定情報を、接続される機器に対して出力する表示設定情報出力部とを備えることを特徴とする。
【０００９】
このような画像表示装置と機器との接続形式としては、例えば、ＤＶＩ（Digital Visual Interface）規格、および、ＨＤＭＩ（High Definition Multimedia Interface）規格等のデジタル接続規格に準拠した接続形式を採用することができる。
また、表示設定情報としては、機種名、メーカ名等の型式情報、接続機器種別、および、画像解像度やリフレッシュレート等の画像形成手段の表示設定情報を保持するＥＤＩＤを例示することができる。
【００１０】
本発明によれば、表示属性情報取得部により、画像表示装置に接続される機器から入力する表示属性情報が取得される。また、表示設定情報選択部により、予め記憶された複数の表示設定情報から、取得された表示属性情報に応じた表示設定情報が選択され、当該表示設定情報が、表示設定情報書込部により、メモリに書き込まれる。これによれば、画像情報とともに出力される表示属性情報に応じた表示設定情報を、自動的に更新することができる。従って、使用者が機器の種別を入力する煩雑さを解消することができ、使用者による機器種別の誤入力等によって、劣化した画像が形成されることを防ぐことができる。
【００１１】
また、メモリに書き込まれた表示設定情報は、表示設定情報出力部により、接続される機器に出力される。これによれば、画像表示装置に接続される機器は、変更された表示設定情報に応じた画像情報を出力することができる。ここで、画像表示装置に、汎用的な表示設定情報が設定されている場合、当該画像表示装置に接続される機器は、その汎用的な表示設定情報を読み込んで、当該表示設定情報に基づく画像情報を生成出力するので、機器によっては、画像表示装置の性能を十分活用できない。
これに対し、本発明の画像表示装置は、接続される機器の表示属性情報に応じた表示設定情報に更新し、さらに、当該表示設定情報を機器に出力するので、接続機器においても当該表示設定情報に応じた画像情報を出力することができ、また、画像表示装置においても、機器が出力する画像情報に応じた画像を形成することができる。従って、画像表示装置が有する性能を十分に発揮することができ、かつ、接続される機器が要求する画像を形成することができる。
【００１２】
本発明では、前記表示属性情報は、前記画像情報のフレーム間のブランク期間に含まれて出力され、前記制御手段は、前記画像情報の入力中、前記ブランク期間に含まれる表示属性情報を監視する表示属性情報監視部を備え、前記表示属性情報監視部は、当該表示属性情報監視部で入力する表示属性情報に変化が生じたと判定すると、前記表示属性情報取得部、前記表示設定情報選択部、および、前記表示設定情報書込部を動作させる信号を出力することが好ましい。
【００１３】
本発明によれば、表示属性情報監視部により、画像情報のフレーム間のブランク期間が監視され、当該ブランク期間に出力される表示属性情報に変化があった場合に、前記表示属性情報取得部、前記表示設定情報選択部、および、前記表示設定情報書込部を動作させる信号を出力して、表示設定情報の更新処理が実行されるので、当該表示属性情報に応じた表示設定情報に即座に更新することができる。従って、接続される機器から入力する画像情報の変化に鋭敏に対応することができ、当該画像情報に応じた画像を迅速に形成することができる。
【００１４】
また、接続される機器から入力する表示属性情報は、画像情報に含まれるフレーム間のブランク期間に出力されるので、画像表示装置での画像形成を中断することなく、表示設定情報の更新を行うことができる。すなわち、機器から入力する表示属性情報は、映像情報であるフレーム間で、当該フレームが出力されない期間に出力される。このため、フレームを用いて行われる画像表示装置の画像形成を妨げないようにして、表示属性情報を取得することができ、表示設定情報の更新処理を実行することができる。従って、接続される機器と画像表示装置の通信を有効に活用することができる。
【００１５】
本発明では、前記接続端子には、前記機器との間に、前記画像情報が入力する画像情報入力ライン、前記機器に対して表示設定情報を出力する表示設定情報出力ライン、および、前記機器と当該画像表示装置との状態を通信しあう状態通信ラインが独立して設けられ、前記制御手段は、前記表示設定情報書込部による表示設定情報の書込みが行われると、前記状態通信ラインを介して、前記機器に対して、前記表示設定情報の再読み出しを指示する信号を出力する再読出指示信号出力部を備えていることが好ましい。
【００１６】
本発明によれば、状態通信ラインを介して、再読出指示信号出力部が、画像表示装置に接続される機器に、当該画像表示装置の更新された表示設定情報を再読出しさせる再読出指示信号を出力する。これによれば、当該機器が、当該再読出指示信号の入力をトリガーとして、画像表示装置の表示設定情報の再読出しを行うことにより、更新された表示設定情報に応じた画像情報を画像表示装置に出力することができ、当該画像表示装置は、機器が要求する画質の画像を形成することができる。
【００１７】
ここで、画像表示装置の表示設定情報が更新されたことを、当該画像表示装置に接続される機器が認識しない場合には、当該機器は、更新される前の表示設定情報に基づく画像情報を出力することとなる。このため、接続機器からは、更新前の表示設定情報に基づく画像情報が、画像表示装置に出力され続ける。このような場合に、状態通信ラインを介して、画像表示装置の再読出指示信号出力部から、当該画像表示装置に接続される機器に、再読出指示信号を出力することによって、更新された表示設定情報を当該機器に読み込ませることが可能となる。従って、接続機器に、画像表示装置の更新された表示設定情報を確実に読み込ませることができ、当該機器から当該表示設定情報に応じた画像情報を出力させることにより、画像表示装置が本来有する性能を活かすことができる。
【発明を実施するための最良の形態】
【００１８】
以下、本発明の一実施形態を図面に基づいて説明する。
（１）プロジェクタ１の接続態様
図１は、本実施形態に係るプロジェクタ１の接続態様を示す図である。
プロジェクタ１は、図１に示すように、画像情報出力機器１０と接続され、当該画像情報出力機器１０から入力する画像情報に応じた画像を形成し、当該画像を拡大投射するものである。
【００１９】
画像情報出力機器１０としては、ＤＶＤ（Digital Versatile Disc）およびＣＤ（Compact Disc）等のメディアを再生して、当該メディアに記録された画像情報を出力するプレイヤ１０Ａやパーソナルコンピュータ１０Ｂ等を挙げることができる。なお、ここで挙げるプレイヤ１０Ａは、ＶＨＳ（Video Home System）規格に準拠したテープも再生可能とされている。
また、プロジェクタ１と画像情報出力機器１０との接続は、Ｄ−ＳＵＢ（D-SUBminiature）規格等のアナログ接続規格、および、ＤＶＩ（Digital Visual Interface）規格、ＨＤＭＩ（High Definition Multimedia Interface）規格等のデジタル接続規格に準拠した接続形式とすることができる。
【００２０】
プロジェクタ１は、略直方体形状の合成樹脂製の筐体２と、この筐体２内部に収納される装置本体（図示省略）とを備えている。
装置本体は、画像形成および形成した画像の拡大投射を行う光学ユニット４と、入力する画像情報に応じた光学ユニット４を含む装置本体の駆動制御を行う制御基板５と、これらに駆動電力を供給する電源ユニット（図示省略）とを備えて構成されている。
このうち、電源ユニットは、外部電源から入力する交流電流を直流電流に変換し、当該直流電流を、装置本体を構成する電子部品に応じた所定の電圧に変換して当該電子部品に供給するとともに、当該直流電流から交流矩形波電流を生成して後述する光学ユニット４の光源装置４１１に供給する。
【００２１】
（２）光学ユニット４の構成
図２は、光学ユニット４の構成を模式的に示す図である。
光学ユニット４は、光源装置から射出された光束を画像情報に応じて変調して画像を形成し、投射レンズ３を介してスクリーン等の投射面上に投射画像を形成するものである。この光学ユニット４は、図２に示すように、投射レンズ３と、インテグレータ照明光学系４１と、色分離光学系４２と、リレー光学系４３と、光変調装置および色合成光学装置を一体化した光学装置４４と、これら光学部品４１，４２，４３，４４を収納配置する光学部品用筐体４５とに機能的に大別される。
このうち、投射レンズ３は、詳しい図示を省略するが、鏡筒内部に複数のレンズが収納された組レンズとして構成されている。
【００２２】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成されている。
【００２３】
光源装置４１１は、放射光源としての光源ランプ４１１Ａ、リフレクタ４１１Ｂ、およびリフレクタ４１１Ｂの光束射出面を覆う防爆ガラス４１１Ｃを備えている。そして、光源ランプ４１１Ａから射出された放射状の光束は、リフレクタ４１１Ｂで反射されて略平行光束とされ、外部へと射出される。
なお、本実施形態では、光源ランプ４１１Ａとして、高圧水銀ランプを採用しているが、これに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２４】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２５】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いて、光源ランプ４１１Ａから射出された光束を略１種類の偏光光に変換することにより、光学装置４４における光の利用効率を高めている。なお、このような偏光変換素子４１４は、例えば、特開平８−３０４７３９号公報に紹介されている。
【００２６】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を、光学装置４４の後述する液晶パネル４４１Ｂまで導く機能を有している。
【００２７】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００２８】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路の長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００２９】
光学装置４４は、入射された光束を画像情報に応じて変調してカラー画像を形成する。この光学装置４４は、色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、色合成光学装置としてのクロスダイクロイックプリズム４４５とを備える。
【００３０】
液晶パネル４４１（４４１Ｒ，４４１Ｇ，４４１Ｂ）は、本発明の画像形成手段に相当する。この液晶パネル４４１は、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３１】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみを透過させ、その他の光束を吸収するものであり、透過させる偏光光の偏光軸は、入射側偏光板４４２における透過させる偏光光の偏光軸に対して直交するように設定されている。
【００３２】
クロスダイクロイックプリズム４４５は、射出側偏光板４４４から射出され、色光毎に変調された光学像を合成して、カラー画像を形成するものである。このクロスダイクロイックプリズム４４５には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３３】
光学部品用筐体４５は、詳しい図示を省略するが、上方が開口し、箱状に形成された部品収納部材と、この部品収納部材の開口を覆う蓋状部材から構成されている。このうち、部品収納部材には、多数の溝部が形成され、これらの溝に、前述の光学部品４１，４２，４３，４４を構成する部品を嵌め込むことによって、それぞれの部品が部品収納部材に収納される。
【００３４】
（３）制御基板５の構成
図３は、制御基板５の構成を示すブロック図である。
制御基板５は、装置本体の駆動制御を行う回路基板である。また、制御基板５は、接続端子６１を備えたインターフェース基板６と電気的に接続され、このインターフェース基板６を介して入力する画像情報に基づいて液晶パネル４４１を駆動制御して、当該画像情報に基づく光学像を形成する。
【００３５】
このうち、インターフェース基板６は、画像情報出力機器１０および他の接続機器と、ケーブルを介して接続する接続端子６１が複数実装された回路基板であり、これら接続端子６１から入力する信号を、制御基板５に出力する。
【００３６】
このような接続端子６１は、画像情報入力ラインＶＬと、ＥＤＩＤ通信ラインＥＬと、状態通信ラインＳＬとを備えて構成されており、各ラインＶＬ，ＥＬ，ＳＬは、独立して設けられている。
画像情報入力ラインＶＬは、接続された画像情報出力機器１０から画像情報が入力するためのラインである。また、ＥＤＩＤ通信ラインＥＬは、本発明の表示設定情報出力ラインに相当し、画像情報出力機器１０からの要求に対して、プロジェクタ１のＥＤＩＤを出力するためのラインである。さらに、状態通信ラインＳＬは、プロジェクタ１および画像情報出力機器１０がそれぞれの状態を通信しあうためのラインである。
このような接続端子６１として、前述のＤ−Ｓｕｂ端子、ＤＶＩ端子、ＨＤＭＩ端子が設けられているほか、ＵＳＢ（Universal Sirial Bus）端子等が設けられている。
【００３７】
制御基板５は、フレームメモリ５１と、フラッシュメモリ５２と、ＲＡＭ（Randam Access Memory）５３、ＲＯＭ（Read Only Memory）５４と、表示制御系５５と、主制御系５６とを備えて構成されている。
【００３８】
フレームメモリ５１は、インターフェース基板６の接続端子６１と接続され、画像情報出力機器１０から画像情報入力ラインＶＬを介して入力する画像情報を、一時的に保持するものである。
フラッシュメモリ５２は、本発明のメモリに相当し、電気的に書換可能に構成されている。このフラッシュメモリ５２には、表示設定情報を含むＥＤＩＤが記録されている。なお、このＥＤＩＤは、初期状態では、汎用的なＥＤＩＤが記録されている。
ＲＡＭ５３は、後述する表示制御系５５および主制御系５６の処理において利用される作業メモリとして構成されている。
ＲＯＭ５４は、後述する主制御系５６によって参照される参照テーブルが記録されている。この参照テーブルは、複数の表示属性情報と、各表示属性情報に対応するＥＤＩＤとが、対応関係を維持しつつ形成されたデータテーブルである。なお、この参照テーブルは、予めメーカサイドでＲＯＭ５４に記録される。
【００３９】
表示制御系５５は、主制御系５６とともに、本発明の制御手段を構成するものであり、液晶パネル４４１の駆動を制御するものである。具体的には、表示制御系５５は、フレームメモリ５１に入力する画像情報に含まれるフレーム情報を読み込む。そして、表示制御系５５は、当該フレーム情報から、水平同期信号および垂直同期信号を生成し、これらの同期信号に基づいて液晶パネル４４１（４４１Ｒ，４４１Ｇ，４４１Ｂ）を駆動して光学像を形成する。
【００４０】
主制御系５６は、ＣＰＵ（Central Processing Unit）等を備えて構成され、表示制御系５５とともに、本発明の制御手段を構成する。
主制御系５６は、プロジェクタ１の装置全体を制御する。また、この主制御系５６は、画像情報出力機器１０から入力する画像情報のフレーム情報のブランク期間に、画像情報出力機器１０の表示属性情報が含まれている場合には、フラッシュメモリ５２のＥＤＩＤを、当該表示属性情報に対応するＥＤＩＤに更新する。
【００４１】
ここで、表示属性情報とは、画像情報出力機器１０から、画像情報に含まれるフレーム情報のブランク期間に出力される、当該画像情報出力機器１０の表示属性を示す情報である。具体的には、表示属性情報には、フレーム情報に基づく画像の解像度、アスペクト比、リフレッシュレート等の情報が含まれる。
また、ＥＤＩＤは、画像表示装置としてのプロジェクタの性能等を示すパラメータであり、当該プロジェクタ１の性能等を示す表示設定情報が含まれる。
【００４２】
このような主制御系５６は、制御部５６１、画像情報判定部５６２、表示属性情報取得部５６３、表示属性情報監視部５６４、ＥＤＩＤ選択部５６５、ＥＤＩＤ書込部５６６、再読出指示信号出力部５６７、および、ＥＤＩＤ出力部５６８を備えて構成されている。
【００４３】
制御部５６１は、装置全体の駆動制御を行う。このため、制御部５６１は、プロジェクタ１を構成する各電子部品および表示制御系５５と接続され、当該表示制御系５５に制御信号および設定情報を出力する。また、制御部５６１は、図示しない電源スイッチのＯＮ操作、および、各処理部５６３〜５６８からの処理終了信号の入力に応じて、主制御系５６の各処理部５６２〜５６８に実行信号を出力して、ＥＤＩＤ更新処理の制御を行う。
【００４４】
画像情報判定部５６２は、制御部５６１から実行信号が入力すると、フレームメモリ５１に入力する画像情報を判定する。この画像情報判定部５６２は、当該画像情報に含まれるフレーム情報のブランク期間に、画像情報出力機器１０の表示属性情報が含まれているかを判定し、含まれていないと判定すると、表示属性情報が含まれていない旨の信号を、制御部５６１に出力する。一方、画像情報判定部５６２が、表示属性情報が含まれていると判定すると、表示属性情報が含まれている旨の信号を、制御部５６１に出力する。
【００４５】
表示属性情報取得部５６３は、制御部５６１から実行信号が入力すると、フレームメモリ５１に入力するフレーム情報のブランク期間に含まれる表示属性情報を取得する。この表示属性情報取得部５６３は、取得した表示属性情報をＲＡＭ５３に記憶させる。この後、表示属性情報取得部５６３は、制御部５６１に処理終了信号を出力する。
【００４６】
表示属性情報監視部５６４は、制御部５６１から実行信号が入力すると、画像情報に含まれるフレーム情報のブランク期間を監視して、当該ブランク期間に含まれる表示属性情報と、表示属性情報取得部５６３によってＲＡＭ５３に記憶された表示属性情報とに違いがあるか否かを判定する。ここで、それぞれの表示属性情報が相違しない場合は、表示属性情報監視部５６４は、表示属性情報に変化が無い旨の信号を、制御部５６１に出力する。一方、それぞれの表示属性情報が相違する場合は、表示属性情報監視部５６４は、表示属性情報に変化があった旨の信号を、制御部５６１に出力する。
【００４７】
ＥＤＩＤ選択部５６５は、本発明の表示設定情報選択部に相当する。このＥＤＩＤ選択部５６５は、制御部５６１からの実行信号が入力すると、ＲＡＭ５３に記憶された表示属性情報を取得し、当該表示属性情報に対応するＥＤＩＤを、ＲＯＭ５４の参照テーブルから選択し、当該ＥＤＩＤを、表示属性情報が記憶されたＲＡＭ５３の領域とは別の領域に記憶させる。この後、ＥＤＩＤ選択部５６５は、制御部５６１に処理終了信号を出力する。
【００４８】
ＥＤＩＤ書込部５６６は、本発明の表示設定情報書込部に相当する。このＥＤＩＤ書込部５６６は、制御部５６１からの実行信号が入力すると、ＲＡＭ５３に記憶されたＥＤＩＤを取得して、当該ＥＤＩＤで、フラッシュメモリ５２に記憶されたＥＤＩＤを更新する。この更新処理の後、ＥＤＩＤ書込部５６６は、処理終了信号を、制御部５６１に出力する。
なお、ＥＤＩＤ書込部５６６によるＥＤＩＤの更新は、フラッシュメモリ５２のＥＤＩＤを、ＲＡＭ５３のＥＤＩＤで上書きする上書き更新であってもよく、それぞれのＥＤＩＤの違いを判定して、異なる部分だけを更新する部分更新であってもよい。また、ＥＤＩＤを部分更新する場合は、ＥＤＩＤに含まれる表示設定情報だけを更新するようにしてもよい。
【００４９】
再読出指示信号出力部５６７は、制御部５６１からの実行信号が入力すると、状態通信ラインＳＬを介して、当該ラインＳＬが接続された画像情報出力機器１０に、更新されたＥＤＩＤの再読出しを指示する再読出指示信号を出力する。
このような再読出指示信号の出力の後、再読出指示信号出力部５６７は、制御部５６１に処理終了信号を出力する。
【００５０】
ＥＤＩＤ出力部５６８は、本発明の表示設定情報出力部に相当する。このＥＤＩＤ出力部５６８は、画像情報出力機器１０からＥＤＩＤ要求信号が入力すると、フラッシュメモリ５２に記憶されたＥＤＩＤを取得して、ＥＤＩＤ出力ラインを介して、画像情報出力機器１０に出力する。これにより、画像情報出力機器１０は、プロジェクタ１の最新のＥＤＩＤを取得して、当該ＥＤＩＤに応じた画像情報を出力することができる。
【００５１】
（４）ＥＤＩＤ更新処理
以下に、主制御系５６で行われるＥＤＩＤの更新処理について説明する。
図４は、ＥＤＩＤ更新処理の処理フローを示す図である。
まず、プロジェクタ１は、電源スイッチのＯＮ操作とともに、主制御系５６の制御部５６１から画像情報判定部５６２に実行信号が出力される。また、画像情報出力機器１０から、画像情報が出力される（処理Ｓ１１）と、画像情報入力ラインＶＬを介して、当該画像情報が、フレームメモリ５１に保持される。
【００５２】
実行信号が入力した画像情報判定部５６２は、フレームメモリ５１に入力した画像情報を判定する（処理Ｓ２１）。この処理Ｓ２１では、画像情報に含まれるフレーム情報のブランク期間に、当該フレーム情報の表示属性情報が含まれるかが判定される。
ここで、表示属性情報が含まれていないと判断されると、制御部５６１に、表示属性情報が含まれていない旨の信号を出力して、当該制御部５６１は、表示属性情報監視部５６４によって検出される表示属性情報の変化があるまで、ＥＤＩＤ更新処理を待機する。また、表示属性情報が含まれていない旨の信号が入力した制御部５６１は、表示制御系５５に対して、フレームメモリ５１に入力する画像情報のフレーム情報を取得して、当該フレーム情報に応じて光学像を形成するように信号を出力する。
【００５３】
一方、画像情報判定部５６２により、ブランク期間に表示属性情報が含まれていると判定された場合には、当該画像情報判定部５６２は、表示属性情報が含まれている旨の信号を制御部５６１に出力する。この信号が入力した制御部５６１は、表示属性情報取得部５６３に実行信号を出力するとともに、表示制御系５５に対しても、画像情報に表示属性情報が含まれている旨の信号を出力する（処理Ｓ２２）。当該信号が入力した表示制御系５５では、入力した画像情報のうちフレーム情報を取得して、当該フレーム情報に応じた画像を形成する（処理Ｓ４１）。
【００５４】
実行信号が入力した表示属性情報取得部５６３は、フレームメモリ５１に入力する画像情報のうち、フレーム情報のブランク期間に含まれる表示属性情報を取得して、当該表示属性情報を、ＲＡＭ５３に記憶させる（処理Ｓ２３）。この後、表示属性情報取得部５６３は、制御部５６１に処理終了信号を出力し、当該処理終了信号が入力した制御部５６１は、表示属性情報監視部５６４およびＥＤＩＤ選択部５６５に、実行信号を出力する。
【００５５】
実行信号が入力した表示属性情報監視部５６４は、フレームメモリ５１に入力する画像情報を継続して監視する。具体的には、当該画像情報に含まれる表示属性情報と、ＲＡＭ５３に記憶された表示属性情報とが一致するか否かを監視する（処理Ｓ２４）。
【００５６】
実行情報が入力したＥＤＩＤ選択部５６５は、ＲＡＭ５３に記憶された表示属性情報に対応するＥＤＩＤを、ＲＯＭ５４の参照テーブルから選択する（処理Ｓ２５）。選択されたＥＤＩＤは、ＥＤＩＤ選択部５６５により、ＲＡＭ５３に記憶される。この後、ＥＤＩＤ選択部５６５は、制御部５６１に処理終了信号を出力し、当該処理終了信号が入力した制御部５６１は、ＥＤＩＤ書込部５６６に処理実行信号を出力する。
【００５７】
実行情報が入力したＥＤＩＤ書込部５６６は、ＲＡＭ５３に記憶されたＥＤＩＤで、フラッシュメモリ５２のＥＤＩＤを更新する（処理Ｓ２６）。このＥＤＩＤ書込部５６６の処理Ｓ２６では、前述のように、上書き更新の場合と、部分更新の場合がある。このＥＤＩＤの更新処理の後、ＥＤＩＤ書込部５６６は、制御部５６１に処理終了信号を出力し、当該処理終了信号が入力した制御部５６１は、再読出指示信号出力部５６７に実行信号を出力する。
【００５８】
実行信号が入力した再読出指示信号出力部５６７は、画像情報出力機器１０にプロジェクタ１の更新されたＥＤＩＤの再読出しを指示する再読出指示信号を生成して、当該画像情報出力機器１０に、状態通信ラインＳＬを介して出力する（処理Ｓ２７）。この処理Ｓ２７の後、再読出指示信号出力部５６７は、制御部５６１に処理終了信号を出力する。
【００５９】
再読出指示信号出力部５６７から再読出指示信号が入力した画像情報出力機器１０は、ＥＤＩＤ通信ラインＥＬを介して、ＥＤＩＤ要求信号を出力する（処理Ｓ１２）。
これに対し、ＥＤＩＤ通信ラインＥＬに接続されるＥＤＩＤ出力部５６８は、画像情報出力機器１０からＥＤＩＤ要求信号が入力したかを判定する（処理Ｓ２８）。ここで、ＥＤＩＤ要求信号が入力した場合には、ＥＤＩＤ出力部５６８は、フラッシュメモリ５２の更新されたＥＤＩＤを読み込んで、ＥＤＩＤ通信ラインＥＬを介して、画像情報出力機器１０に、当該更新されたＥＤＩＤを出力する（処理Ｓ２９）。この後、ＥＤＩＤ出力部５６８は、制御部５６１に処理終了信号を出力して、ＥＤＩＤの更新処理を終了する。一方、ＥＤＩＤ要求信号が入力しない場合には、ＥＤＩＤ出力部５６８はＥＤＩＤの出力処理を省いて、ＥＤＩＤの更新処理を終了する。
【００６０】
更新されたＥＤＩＤが入力した画像情報出力機器１０は、更新されたＥＤＩＤに応じた画像情報を出力することとなるが、出力する画像情報を修正する必要があるかを判定する（処理Ｓ１３）。ここで、修正する必要がなければ、処理Ｓ１１での画像情報と同じ画像情報の出力を継続する。一方、解像度など画像情報に修正の必要がある場合は、画像情報の修正を行い、当該修正した画像情報を、画像情報入力ラインＶＬを介して、プロジェクタ１に出力する（処理Ｓ１４）。
【００６１】
ここで、処理Ｓ２４における表示属性情報監視部５６４による監視は継続して実行されており、ＲＡＭ５３に保持した表示属性情報と、入力する画像情報に含まれる表示属性情報との判定は行われている（処理Ｓ３０）。ここで、それぞれの表示属性情報が一致する場合は、表示属性情報監視部５６４による監視を継続する。
一方、それぞれの表示属性情報が相違する場合は、表示属性情報監視部５６４は、制御部５６１に、入力する画像情報に含まれる表示属性情報に変化があった旨の信号を出力する。当該信号が入力した制御部５６１は、この表示属性情報監視部５６４からの信号入力をトリガーとして、表示属性情報取得部５６３に実行信号を出力し、処理Ｓ２３〜Ｓ２９を再度実行する。
【００６２】
以上説明した本実施形態のプロジェクタ１によれば、以下の効果を奏することができる。
すなわち、画像情報出力機器１０からフレームメモリ５１に入力する画像情報から、主制御系５６の表示属性情報取得部５６３が、フレーム情報のブランク期間に含まれる表示属性情報を取得し、ＥＤＩＤ選択部５６５が、当該表示属性情報に応じたＥＤＩＤをＲＯＭ５４から選択し、ＥＤＩＤ書込部５６６が、当該選択したＥＤＩＤでフラッシュメモリ５２のＥＤＩＤを更新する。これによれば、画像情報出力機器１０から出力される表示属性情報に基づいて、ＥＤＩＤの更新を自動的に行うことができる。
【００６３】
また、ＥＤＩＤ出力部５６８は、更新されたＥＤＩＤを画像情報出力機器１０に出力する。これによれば、画像情報出力機器１０は、プロジェクタ１に、更新されたＥＤＩＤに応じた画像情報を出力することができる。従って、画像情報出力機器１０は、プロジェクタ１の有する性能に応じた画像情報を出力することができ、当該プロジェクタ１は、当該画像情報に応じた光学像を形成することができるので、画像情報出力機器１０が要求する画像を形成することができるとともに、プロジェクタ１の有する性能を十分に発揮することができる。
【００６４】
表示属性情報は、画像情報出力機器１０から出力される画像情報のうち、映像情報であるフレーム情報のブランク期間に含まれて出力される。これによれば、プロジェクタ１は、フレーム情報を取得して画像形成を実行している際にも、当該画像形成を妨げることなく、ＥＤＩＤの更新処理を実行することができる。従って、使用者にＥＤＩＤの更新処理が行われていることを意識させることなく、通常使用時と同様にプロジェクタ１を駆動して、ＥＤＩＤの更新処理を実行することができる。
【００６５】
表示属性情報監視部５６４は、画像情報に含まれるフレーム情報のブランク期間を監視し、当該ブランク期間に画像情報出力機器１０から出力される表示属性情報と、表示属性情報取得部５６３により取得された表示属性情報とが一致するか否かを判定する。そして、それぞれの表示属性情報が相違する場合は、制御部５６１が、各処理ごとに、表示属性情報取得部５６３、ＥＤＩＤ選択部５６５、ＥＤＩＤ書込部５６６およびＥＤＩＤ出力部５６８に実行信号をそれぞれ出力して、入力する画像情報から表示属性情報を取得し、ＥＤＩＤの更新および出力を実行する。これによれば、表示属性情報に変化があった場合に、迅速に対応することができる。
【００６６】
具体的には、画像情報出力機器１０として、ＶＨＳテープの再生が可能なプレイヤ１０Ａがプロジェクタ１に接続されている場合がある。このような場合、当該プレイヤ１０ＡによりＤＶＤが再生される場合と、ＶＨＳテープが再生される場合とでは、出力される画像情報に違いがあり、表示属性情報も異なることとなる。また、プレイヤ１０Ａとプロジェクタ１との接続は変更されていないため、プロジェクタ１が画像情報に変更があったことを認識できずに、ＥＤＩＤの更新処理を実行できない場合がある。このような場合でも、使用者が、プレイヤ１０Ａとプロジェクタ１との接続を解除することなく、当該プレイヤ１０Ａから入力する表示属性情報に応じてＥＤＩＤを、自動的に変更することができる。従って、画像情報出力機器１０から出力される画像情報に応じて、ＥＤＩＤの更新を自動的に、かつ、簡易に行うことができる。
【００６７】
主制御系５６の制御部５６１は、ＥＤＩＤ書込部５６６によるフラッシュメモリ５２のＥＤＩＤの更新が終了すると、再読出指示信号出力部５６７に実行信号を出力する。この実行信号が入力した再読出指示信号出力部５６７は、接続された画像情報出力機器１０に対して、プロジェクタ１のＥＤＩＤを再読出しさせる再読出指示信号を出力する。これによれば、画像情報出力機器１０は、再読出指示信号の入力をトリガーとして、プロジェクタ１にＥＤＩＤ要求信号を出力することができる。また、このＥＤＩＤ要求信号が入力したＥＤＩＤ出力部５６８は、更新されたＥＤＩＤをフラッシュメモリ５２から読み込んで、画像情報出力機器１０に出力することができる。従って、画像情報出力機器１０は、プロジェクタ１の更新されたＥＤＩＤを取得することができ、また、これにより、当該画像情報出力機器１０は、更新されたＥＤＩＤに応じた画像情報を出力することができるので、プロジェクタ１は、画像情報出力機器１０が要求する画像を形成することができ、プロジェクタ１が本来有する性能を十分に発揮することができる。
【００６８】
（５）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６９】
前記実施形態では、表示属性情報は、画像情報のフレーム情報のブランク期間に出力されるとしたが、本発明はこれに限らず、画像情報のヘッダ部分として出力してもよい。なお、表示属性情報をブランク期間に出力する構成とすれば、フレーム情報に基づく画像形成を妨げることなく、ＥＤＩＤの更新処理を実行することができる。
【００７０】
前記実施形態では、接続端子６１には、画像情報入力ラインＶＬ、ＥＤＩＤ通信ラインＥＬ、および、状態通信ラインＳＬを備えるとしたが、これら以外のラインを備える構成としてもよい。また、これらを１つに統合して入出力ラインを形成し、当該入出力ラインを用いて、画像情報およびＥＤＩＤの入力／出力を行う構成としてもよい。
【００７１】
前記実施形態では、ＥＤＩＤが記憶される書換可能なメモリを、フラッシュメモリ５２で構成したが、ＥＥＰＲＯＭで構成してもよく、あるいは、磁気ディスク装置および光ディスク装置で構成してもよい。なお、フラッシュメモリを採用すれば、当該メモリへの書込、参照、更新、消去を迅速に行うことができるほか、プロジェクタ１を小型化できる。また、ＥＥＰＲＯＭを採用した場合では、格納領域ごとの情報の更新はできないが、フラッシュメモリを採用すれば、情報の部分的な更新が可能である。
また同様に、フレームメモリ５１、ＲＡＭ５３およびＲＯＭ５４のメモリの種類は問わない。すなわち、これらメモリ５１，５３，５４は、前述した各種情報を格納可能なメモリであればよく、メモリの種類は問わない。また、これらを磁気ディスク装置および光ディスク装置等で構成してもよい。
【００７２】
前記実施形態では、主制御系５６によるＥＤＩＤの更新処理を制御する制御部５６１を設けたが、前述のＥＤＩＤの更新処理の順に、各処理部５６２〜５６７から次の処理を実行する処理部に所定の信号を出力して、当該ＥＤＩＤの更新処理を制御するように構成してもよい。
【００７３】
前記実施形態では、再読出指示信号出力部５６７が再読出指示信号を当該画像情報出力機器１０に状態通信ラインＳＬを介して出力した際（図４のＳ２７）に、ＥＤＩＤ出力部５６８が画像情報出力機器１０からＥＤＩＤ要求信号が入力したかを判定（図４のＳ２８）して、ＥＤＩＤ要求信号が入力しない場合にはＥＤＩＤの出力処理を省いてＥＤＩＤの更新処理を終了する構成を説明した。しかし、これに限らず、例えば、ＥＤＩＤ要求信号が入力しない場合には、再読出指示信号出力部５６７が、表示制御系５５を介して液晶パネル４４１にオンスクリーンディスプレイ（ＯＳＤ）などでユーザーに画像情報入力ラインＶＬの再接続を促すメッセージを表示させる構成を採用してもよい。
【００７４】
前記実施形態では、光学ユニット４が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル４４１を用いたが、光入射面と光射出面とが同一となる反射型の液晶パネルを用いてもよい。
さらに、前記実施形態では、光変調装置として液晶パネル４４１を用いていたが、マイクロミラーを用いたデバイスなど、液晶以外の光変調装置を用いてもよい。この場合は、光束入射側および光束射出側の偏光板を省略することができる。
【００７５】
前記実施形態では、画像表示装置としてプロジェクタ１を例示したが、本発明はこれに限らず、ＥＤＩＤを有し、画像情報出力機器１０から入力する画像情報に応じて画像を形成するものであれば、他の画像表示装置でもよい。このような画像表示装置として、例えば、ＣＲＴ（Cathode-Ray Tube）ディスプレイ、液晶ディスプレイおよびプラズマディスプレイ等を挙げることができる。
また、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【００７６】
本発明は、プロジェクタに好適に利用できる他、入力画像情報に応じて光学像を形成する画像形成手段と、この画像形成手段の駆動制御を行う制御手段と、異なる機器が接続可能とされ、接続された機器から出力される前記画像情報が入力する接続端子とを備えた画像表示装置、例えば、ディスプレイ等にも好適に利用することができる。
【図面の簡単な説明】
【００７７】
【図１】本発明の一実施形態に係るプロジェクタの接続態様を示す図。
【図２】前記実施形態における光学ユニットの構成を模式的に示す図。
【図３】前記実施形態における制御基板の構成を示すブロック図。
【図４】前記実施形態におけるＥＤＩＤの更新処理の処理フローを示す図。
【符号の説明】
【００７８】
１…プロジェクタ（画像表示装置）、１０…画像情報出力機器（機器）、１０Ａ…プレイヤ（機器）、１０Ｂ…パーソナルコンピュータ（機器）、５２…フラッシュメモリ（メモリ）、５６…主制御系（制御手段）、６１…接続端子、５６３…表示属性情報取得部、５６４…表示属性情報監視部、５６５…ＥＤＩＤ選択部（表示設定情報選択部）、５６６…ＥＤＩＤ書込部（表示設定情報書込部）、５６７…再読出指示信号出力部、５６８…ＥＤＩＤ出力部（表示設定情報出力部）、ＥＬ…ＥＤＩＤ通信ライン（表示設定情報出力ライン）、ＳＬ…状態通信ライン、ＶＬ…画像情報入力ライン。
【図１】
2006119399.tif 000003
【図２】
2006119399.tif 000004
【図３】
2006119399.tif 000005
【図４】
2006119399.tif 000006